(57)【要約】【課題】  用紙のジャム解除動作が容易に行える解除装置を提供する。【解決手段】  一方の搬送部材１２Ｂが他方の搬送部材１２Ａ対して接離する方向に移動可能であり接近時に用紙２を挟持して搬送する一対の搬送部材１２の解除装置７０であって、一方の搬送部材１２Ｂを他方の搬送部材１２Ａに対して接離させる接離手段７１と、接離手段７１に連結され、この接離手段による接離動作とは個別に一方の搬送部材１２Ｂを離間方向に移動させる移動手段７２とを有する。【選択図】      図１
2006124097.tif 000002
【特許請求の範囲】
【請求項１】
一方が他方に対して接離する方向に移動可能であり接近時に用紙を挟持して搬送する一対の搬送部材の解除装置であって、
前記一方の搬送を他方搬送に対して接離させる接離手段と、
前記接離手段に連結され、この接離手段による接離動作とは個別に前記一方の搬送部材を離間方向に移動させる移動手段とを有することを特徴とする搬送部材解除装置。
【請求項２】
請求項１記載の搬送部材解除装置において、
前記接離手段は、一方の搬送部材を他方の搬送部材に対して接離する方向に支持する揺動部材と、前記揺動部材に接触方向への移動習性を与える手段と、前記揺動部材に回転係合することで、この揺動部材を接離方向に変位させるカム部材とを有することを特徴とする搬送部材解除装置。
【請求項３】
請求項２記載の搬送部材解除装置において、
前記移動手段は、その一端側が前記揺動部材に連結されたリンク部材と、前記リンク部材の他端側に連結され、前記揺動部材を離間方向に移動する方向に前記リンク部材を移動する駆動源とを有することを特徴とする搬送部材解除装置。
【請求項４】
請求項３記載の搬送部材解除装置において、
用紙詰まり検知信号が入力されたときに、前記駆動源を作動する制御手段を有することを特徴とする搬送部材解除装置。
【請求項５】
請求項４記載の搬送部材解除装置において、
解除指令信号を発する解除指令手段を有し、
前記解除指令手段から解除指令信号が入力されたときに、前記駆動源を作動する制御手段を有することを特徴とする搬送部材解除装置。
【請求項６】
請求項５記載の搬送部材解除装置において、
復帰信号を発する復帰指令手段を有し、
前記制御手段は、前記復帰指令手段から復帰指令信号が入力されたときに、前記駆動源を逆方向に作動することを特徴とする搬送部材解除装置。
【請求項７】
請求項５記載の搬送部材解除装置において、
前記駆動源は電磁ソレノイドであり、
復帰信号を発する復帰指令手段を有し、
前記制御手段は、前記復帰指令手段から復帰指令信号が入力されたときに、前記電磁ソレノイドの作動を停止することを特徴とする搬送部材解除装置。
【請求項８】
画像転写部と、一方が他方に対して接離する方向に移動可能であり接近時に用紙を挟持して前記画像転写部に搬送する一対の搬送部材とを有する画像形成装置において、
前記一対の搬送部材の解除手段として請求項１ないし７の何れかに記載の搬送部材解除装置を有することを特徴とする画像形成装置。
【請求項９】
請求項８記載の画像形成装置において、
前記画像転写部は、印刷に使用する版が巻着される印刷ドラムと、前記用紙を前記印刷ドラムの外周面との間で挟持する印圧部材とで構成されていることを特徴とする画像形成装置。
【発明の詳細な説明】
【技術分野】
【０００１】
本発明は、用紙を挟持して搬送する一対の搬送部材の解除装置及び、それを備えた画像形成装置に関する。
【背景技術】
【０００２】
印刷装置や複写機などの画像形成装置では、用紙を一対の搬送部材で挟持して搬送しているが、用紙が何らか理由で詰まってしまうことがある。この場合装置を停止させ、異常箇所等を点検し、つまった紙を取り除いていた。この際、一対の搬送部材が互いに接触した状態で停止してしまうことがあり、これら搬送部材に挟まった用紙は容易に抜きとることができず、また、紙詰まり後に用紙が搬送部材によって装置奥側に送り込まれることもあり、紙詰まり時の対処作業が非常に煩雑になるという課題があった。
【０００３】
そこで、特許文献１では、一方が他方に対して接近又は離隔する方向に移動可能であり接近時に印刷用紙を挟持して搬送する一対の給紙ローラのうち、用紙の搬送経路における搬送異常が検出されると、阻止手段を用いて他方の給紙ローラに対する一方の給紙ローラの接近を阻止する構成が提案されている。阻止手段は、アーム部材を接離動作させるカムと、アーム部材の回動軌跡上に突出して当該アーム部材の移動を阻止するストッパと、ストッパを移動させる駆動手段とを備えていて、搬送異常となると駆動手段を駆動してアーム部材の近接方向への移動を妨げている。
【０００４】
【特許文献１】特開平７−２３７７８２号公報
【発明の開示】
【発明が解決しようとする課題】
【０００５】
特許文献１においては、カムの回転によりアーム部材を回動させて一方のローラを他方のローラに対して接触／離間するとともに、アーム回動軌跡上にストッパを突出してアーム部材の近接方向への移動を規制している。しかし、ローラ対同士が接触状態にある状態で用紙ジャムなどの搬送異常となって駆動手段が駆動されると、アーム部材が邪魔になってストッパが回動軌道上に突出させることが難しく、カムが回転してアーム部材が離間位置を占めた状態でなければ、ストッパを機能させることができない。このため、搬送異常があってストッパを駆動する駆動手段が直ちに作動しても、アーム部材の位置によってはローラの圧接状態を直ちに解除できず、圧接状態のローラ対によって用紙が搬送方向に送られてしまい、用紙ジャムの状態がひどくなり、解除作業が繁雑となると言う課題がある。
【０００６】
本発明は、用紙のジャム解除動作が容易に行える解除装置及びそれを備えた画像形成装置を提供することを、その目的とする。
【課題を解決するための手段】
【０００７】
上記目的を達成するため、本発明の請求項１にかかる、一方が他方に対して接離する方向に移動可能であり接近時に用紙を挟持して搬送する一対の搬送部材の解除装置では、一方の搬送を他方搬送に対して接離させる接離手段と、接離手段に連結され、この接離手段による接離動作とは個別に一方の搬送部材を離間方向に移動させる移動手段とを有することを特徴としている。
【０００８】
本発明において、接離手段は、一方の搬送部材を他方の搬送部材に対して接離する方向に支持する揺動部材と、揺動部材に接触方向への移動習性を与える手段と、揺動部材に回転係合することで、この揺動部材を接離方向に変位させるカム部材とを有することを特徴としている。
【０００９】
本発明においては、移動手段は、その一端側が揺動部材に連結されたリンク部材と、リンク部材の他端側に連結され、揺動部材を離間方向に移動する方向にリンク部材を移動する駆動源とを有することを特徴としている。
【００１０】
本発明においては、用紙詰まり検知信号が入力されたときに、駆動源を作動する制御手段を有することを特徴としている。
【００１１】
本発明においては、解除指令信号を発する解除指令手段を有し、解除指令手段から解除指令信号が入力されたときに、駆動源を作動する制御手段を有することを特徴としている。
【００１２】
本発明においては、復帰信号を発する復帰指令手段を有し、復帰指令手段から復帰指令信号が入力されたときに、制御手段が駆動源を逆方向に作動することを特徴としている。
【００１３】
本発明においては、駆動源は電磁ソレノイドの場合であり、復帰信号を発する復帰指令手段を有する場合、復帰指令手段から復帰指令信号が入力されたときに、制御手段が電磁ソレノイドの作動を停止することを特徴としている。
【００１４】
これら搬送部材解除装置は、画像転写部と、一方が他方に対して接離する方向に移動可能であり接近時に用紙を挟持して画像転写部に搬送する一対の搬送部材とを有する画像形成装置に適用してもよい。
【００１５】
画像形成装置としては、印刷に使用する版が巻着される印刷ドラムと、用紙を印刷ドラムの外周面との間で挟持する印圧部材とで画像転写部が構成されたものであることを特徴としている。
【発明の効果】
【００１６】
本発明によれば、一方の搬送部材を他方搬送に対して接離させる接離手段と、接離手段に連結され、この接離手段による接離動作とは個別に一方の搬送部材を離間方向に移動させる移動手段とを有するので、接離手段の動作とは個別に一方の搬送部材を他方の搬送部材から離間状態とに状態湖のローラ移動手段搬送徴としている。
【発明を実施するための最良の形態】
【００１７】
図１は、本発明の実施形態にかかる画像形成装置としての印刷装置である孔版印刷装置を示す。同図において、孔版印刷装置は、装置本体１に、用紙２を給送する給紙部３、給紙部３より給送された用紙２に対して孔版印刷を行う画像転写部としての孔版印刷部４、画像印謝された用紙２を機外へ排出する排紙部６、解除装置７０及び装置全体を制御する制御手段５０を備えている。
【００１８】
装置本体１の上部には画像読取部４０が配設されている。画像読取部４０は、原稿３８上の画像を読み取る移動自在な走査ユニット４１Ａ、走査ユニット４１Ａによって走査された画像データが入力されるＣＣＤ等の画像センサ４１
Ｂ等を有する周知の構成である。
【００１９】
給紙部３は、多数の用紙２が積載される給紙トレイ１０、給紙トレイ１０上の用紙２をその最上位のものから１枚ずつ給送する給紙ローラ１１、給紙ローラ１１によって給送された用紙２を一時停止させた後に孔版印刷部４に向けて所定のタイミングで給送する一対の搬送部材としてのレジストローラ対１２等を有している。
【００２０】
給紙ローラ１１と孔版印刷部４の間には用紙搬送路２６が形成されている。レジストローラ対１２は、用紙搬送路２６の下方から同搬送路内に臨む弾性部材としてのゴム製の駆動ローラ１２Ａと、用紙搬送路２６の上方から同搬送路内に臨んで駆動ローラ１２Ａに当接する樹脂製の従動ローラ１２Ｂとで構成されている。従動ローラ１２Ｂとしては金属製のローラであっても良い。駆動ローラ１２Ａは、駆動モータとなるステッピングモータ２８で回転駆動させるように構成されている。従動ローラ１２Ｂは駆動ローラ１２Ａの回転時に駆動ローラ１２Ａの外周面と当接することで従動回転する。レジストローラ対１２と孔版印刷部４の間に位置する用紙搬送路２６には、搬送異常の一例となる用紙ジャムを検知して用紙詰まり信号を出力する搬送異常検出手段としてのジャム検知センサ２７が配設されている。
【００２１】
孔版印刷部４の右上方には製版部７が配設されている。製版部７は、ロール状に巻装されたマスタ１３を収容するマスタ収容部１４、マスタ収容部１４よりもマスタ搬送方向下流側に配設されたサーマルヘッド１５及びプラテン搬送部材１６、マスタ１３を切断するマスタ切断手段１７、マスタを挟持搬送するマスタ搬送搬送部材対１８等を有している。製版部７は、マスタ１３に穿孔製版画像を形成した後、印刷に使用する版となる製版済みマスタ１９を孔版印刷部４に向けて搬送する。
【００２２】
孔版印刷部４は、製版部７において製版された製版済みマスタ１９をその外周面２０ａ上に巻装する多孔性円筒体からなる印刷ドラム２０と、印刷ドラム２０の外周面に対して図示しない接離機構で接離自在に設けられ、用紙２を印刷ドラム２０の外周面２０ａとの間で挟持する印圧部材としてのプレスローラ２２との間に形成されている。印圧部材としてのプレスローラ２２できなく、周知の圧胴を用いても良い。
【００２３】
印刷ドラム２０の内部には、インキ搬送部材２１及びドクター搬送部材８を有するインキ供給手段９が配設されている。孔版印刷部４は、給紙部３より給送された用紙２をプレスローラ２２によって印刷ドラム２０の外周面２０ａ上に巻装された製版済みマスタ１９に押圧することにより、インキ供給手段９から供給されたインキを用紙２に転写させ、用紙２上に孔版印刷画像を形成する。印刷ドラム２０の左上方には、印刷ドラム２０の外周面上から使用済みの製版済みマスタ１９を剥離して廃棄する図示しない排版装置が配設されている。印刷ドラム２０は、メインモータ２９によって図１中時計回り方向回転駆動される。
【００２４】
本形態では、印刷ドラム２０とレジストローラ対１２の駆動とを別駆動としているが、メインモータ２９と駆動ローラ１２Ａとを歯車やプーリなどの周知の駆動伝達機構を介して連結してメインモータ２９で、双方を駆動するようにした形態であっても良い。
【００２５】
排紙部６は、印刷ドラム２０上の製版済みマスタ１９にインキの粘性で張り付いた用紙２を剥離する剥離爪２３と、孔版印刷部４を通過した用紙２を吸引ファン２４の吸引力によって吸着搬送するベルト搬送部２５と、ベルト搬送部２５で配送された用紙２を積載する排紙トレイ３５とを備えている。
【００２６】
解除装置７０は、図２，図３に示すように、従動ローラ１２Ｂを駆動ローラ１２Ａに対して接離させる接離手段７１と、接離手段７１に連結され、この接離手段７１による接離動作とは個別に従動ローラ１２Ｂを離間方向に移動させる移動手段７２とを備えている。
【００２７】
接離手段７２は、従動ローラ１２Ｂを駆動ローラ１２Ａに対して接離する方向に支持する揺動部材としての一対のアーム７３Ａ、７３Ｂと、アーム７３Ａ、７３Ｂに駆動ローラ１２Ａへの接触方向への移動習性を与える手段と付勢部材としての一対の引っ張りコイルバネ７４Ａ、７４Ｂと、一方のアーム７４Ａに回転係合することで、このアーム７３Ａ、７３Ｂを接離方向に変位させるカム部材７５とを備えている。
【００２８】
従動ローラ１２Ｂは図２に示すように、用紙搬送方向Ｘと平面視において直交する用紙幅方向Ｙに延設された支軸７６に、間隔をもって回転自在に支持された複数のローラである。駆動ローラ１２Ａは、用紙幅方向Ｙに延設された支軸７７に、間隔をもって回転自在に支持された複数のローラであり、各ローラが各従動ローラと対向するように配置されている。駆動軸７７は、図示しない駆動伝達機構を介してステッピングモータ２８と連結されていて、ステッピングモータ２８が駆動することで回転駆動する。
【００２９】
従動ローラ１２Ｂは、支軸７６の両端をアーム７３Ａ、７３Ｂの一端７３ａ側に固定することで、アーム部材７３Ａ、７３Ｂに装着されている。アーム部材７３Ａ、７３Ｂの他端７３ｂは、図示しない本体フレームに回動自在に支持された回動軸７８に装着されていて、従動ローラ１２Ｂを駆動ローラ１２Ａに対して接離可能２としている。引っ張りコイルバネ７４Ａ、７４Ｂは、各一端がそれぞれアーム部材７３Ａ、７３Ｂの一端に係止され、各他端が図示しないフレームに設けられたバネ掛け部７９にそれぞれ係止されていて、従動ローラ１２Ｂの外周面を駆動ローラ１２ａの外周面に圧接している。
【００３０】
回動軸７８の端部７８ａには、先端８１ａに回転自在に支持されたコロ８０を有するカムフォロアアーム８１の基端８１ｂが固定されていて、アーム部材７３Ａ、７３Ｂと一体的に回動するように構成されている。カム部材７５は、メインモータ２９が駆動すると、印刷ドラム２０の回転と同期して軸８２を中心に回転するように、印刷ドラム２０の図示しない駆動伝達機構と連結されている。本形態においては、カム部材７５は、印刷ドラム２０が１回転すると、同様に１回転するように構成されている。
【００３１】
カム部材７５は、その外周面７５ａがカムフォロアアーム８１のコロ８０と対向する位置に配置されていて、引っ張りコイルバネ７４Ａ、７４Ｂの付勢力によってコロ８０が圧接されている。カム部材７５の外周面７５ａの形状は、レジストローラ対１２から給紙された用紙２が印刷ドラム２０とプレスローラ２２とによって挟持されるまでは、図３に示すように従動ローラ１２Ｂを駆動ローラ１２Ａとの接触位置におき、用紙先端が挟持されると従動ローラ１２Ｂを図４に示すような離間位置へ向けて移動させ、次の用紙２を給紙する時には従動ローラ１２Ｂを図３に示す接触位置を示すようなカムプロフィールとされている。従動ローラ１２Ｂは当接位置を占めているときには各引っ張りコイルバネの付勢力によって駆動ローラ１２Ａに圧接されている。
【００３２】
移動手段７２は、回動軸７８に立設されたピン８５と、このピン８５と回動軸７８を介してその一端８６ａ側がアーム部材７３Ａ、７３Ｂに連結されたリンク部材８６と、リンク部材８６の他端８６ｂ側に連結され、アーム部材７３Ａ、７３ｂを離間方向に移動する方向（以下「解除方向」と記す）にリンク部材８６を移動する駆動源となる解除モータ８７を備えている。
【００３３】
リンク部材８６の一端８６ａには、解除方向に伸びる長穴８９が形成されていて、ピン８５の先端が緩嵌されている。長穴８９でピン８５を緩嵌支持するのは、カム部材７５によるアーム部材７３Ａ、７３Ｂの回動時にリンク部材８６を移動させないためである。
【００３４】
解除モータ８７はステッピングモータまたはＤＣモータからなり、その出力軸にはウォーム歯車８８が装着されている。このウォーム歯車８８は、リンク部材８６の他端８６ｂに形成された歯部９０に噛合している。このため、例えば図３において駆動モータ８７が駆動してウォーム歯車８８が時計回り方向に回転すると、リンク部材８６が図中において解除方向となる右方へと移動される。
【００３５】
制御手段５０は、ＣＰＵ、ＲＯＭ、ＲＡＭ、タイマなどの構成を備えた周知のコンピュータで構成されている。制御手段５０には、ステッピングモータ１８を含む給紙部３の駆動源となる給紙系駆動部４２、メインモータ２９を含む画像読取部４０全体の駆動源を備えた読取系駆動部４３、製版部７全体の駆動源を備えた製版系駆動部４４、画像印刷部４全体の駆動源を備えた印刷系駆動部４５、ベルト搬送部２５の駆動源を備えた排紙系駆動部４６と、解除モータ８７が出力側に接続されている。
【００３６】
制御手段５０の入力側には、ジャム検知センサ２７と画像読取部４０と操作パネル６０とが接続されている。この操作パネル６０には、解除指令信号を発する解除指令手段としての解除スイッチキー６１と、復帰信号を発する復帰指令手段としての復帰スイッチキー６２とが設けられている。解除スイッチキー６１は、任意にオペレータが従動ローラ１２Ｂを離間させたい場合に操作するスイッチであり、復帰スイッチキー６２は、オペレータがジャム処理終了時あるいは従動ローラ１２Ｂを当接状態に戻したい場合に操作するスイッチである。
【００３７】
制御手段５０は、適宜各駆動部を制御して装置本体１側で行われる孔版印刷全体の動作を制御するとともに、ジャム検知センサ２７から用紙詰まり検知信号が入力されると、リンク部材８６を解除方向に移動する方向に解除モータ８７を作動するとともに、これ以外の装置の動作を停止するように構成されている。制御手段５０は、解除スイッチキー６１から解除指令信号が入力されたときにも、リンク部材８６を解除方向に移動する方向に解除モータ８７を作動する。制御手段５０は、復帰スイッチキー６１が操作されて復帰指令信号が入力されると、リンク部材８６を解除方向と逆の初期位置に移動する方向に、解除モータ８７を逆回転駆動する。
【００３８】
次に、画像形成装置の基本的な動作について説明し、その後にジャム検知時の解除動作について説明する。本形態では、既に製版済みマスタ１９が印刷ドラム２０の外周面２０ａに巻装されているものとし、印刷動作から説明する。
【００３９】
オペレータにより操作パネル６０の図示しないテンキーで印刷枚数が入力され、周知の印刷スタートキーが装置されると、給紙系駆動部４２が駆動されることで給紙ローラ１１が回転動作して給紙トレイ１０上より最初の用紙２が給送される。印刷系駆動部４５の駆動により印刷ドラム２０が設定されている印刷速度に応じた回転周速度で回転駆動される。従動ローラ１２Ｂは図３に示す接触位置に置かれているが、ステッピングモータ２８は駆動されないので、給紙された用紙２の先端はレジストローラ対１２に挟まれた状態となる。印刷ドラム２０の回転に伴いカム部材７５も回転し、レジストタイミングとなるとステッピングモータ２８が駆動する。このため、用紙２はレジストローラ対１２でタイミングを取られて印刷ドラム２０とプレスローラ２２の間に形成される孔版印刷部４に向けて送られ、プレスローラ２２が揺動することにより孔版印刷画像を転写される。
【００４０】
用紙２の先端が孔版印刷部４に到達して印刷ドラム２０とプレスローラ２２とで挟持されとる、カム部材７５の特性によりカムフォロアアーム８１が徐々に図４に示すように離間方向に押し上げられるので、この移動に伴い回動軸が図中時計回りに回転する。このため、回動軸７８と一体のアーム部材７３Ａ、７３Ｂもカム部材７５の回転が進む程に離間方向移動し、最終的には従動ローラ１２Ｂが駆動ローラ１２Ａからり関した状態となる。
【００４１】
このため、給紙された用紙Ｐには、レジストローラ対１２の挟持による抵抗がなくなる。このため、用紙２は、印刷ドラム２０の回転周速度に習って搬送送される。アーム部材７３Ａ、７３Ｂが回動すると、ピン８５の移動するが、このピン８５の移動は長穴８９で吸収されるので、リンク部材８６は解除方向に移動することはなく、解除モータ８７に負荷がかからない。孔版印刷部４へ搬送された用紙２は、印刷ドラム２０とプレスローラ２２とに挟持されることで製版済みマスタ１９の画像が転写（印刷）され、ベルト搬送部２５に到達することで吸着搬送されて排紙トレイ３５に排紙される。このような動作が設定された印刷枚数となる間で継続され、印刷枚数となると装置が停止する。
【００４２】
画像形成装置の動作中に、ジャム検知センサ２７からジャム検知信号が出力されると、制御手段５０は、解除モータ８７を駆動すると共に、これ以外の装置の動作を停止する。解除モータ８７が駆動すると、図５に示すようにリンク部材８６が解除方向（図中右方）に移動する。この移動により、長穴８９に緩嵌されたピン８５が同方向に引かれるので、回動軸７８がカム部材７５の位置に関係なく。時計回方向、すなわちカムフォロアアーム８１がコロ８０をカム部材７５の外周面７５ａから離間させる方向に変位する。このため、アーム部材７３Ａ、７３Ｂが引っ張りコイルバネ７４Ａ、７４Ｂの付勢にして図中時計回り方向に回動し、従動ローラ１２Ｂが離間状態に保持される。
【００４３】
このように、ジャム発生が検知されると、直ちに装置は停止し、解除モータ８７の駆動によりアーム部材７３Ａ、７３Ｂとカムフォロアアーム８１とが離間方向に移動するので、カム部材７５の位置や状態に関係なく従動ローラ１２Ｂと駆動ローラ１２Ａとの圧接状態を直ちに解除することができる。よって、圧接状態のレジストローラ対１２によって用紙２が用紙搬送方向Ｘに送られることがなく、用紙ジャムの状態悪化がなくなり、用紙２のジャム解除動作を容易に行える。
【００４４】
また、リンク部材８６と解除モータ８７とは歯部９０及びウォーム歯車８８によって噛合されているので、オペレータのジャム解除動作中に解除モータ８７の電源が切れた場合でも、解除モータ８７及び歯車噛合部の抵抗があるので、アーム部材７３Ａ、７３Ｂ及びカムフォロアアーム８１が引っ張りコイルバネ７４Ａ、７４Ｂの付勢力によって接触方向に戻ることはなく、より用紙２のジャム解除動作を容易に行える。
【００４５】
一方、従動ローラ１２Ｂを駆動ローラ１２Ａとの当接位置へ戻す場合には、復帰スイッチキー６２を操作する。この操作が行われると、解除モータ８７が解除時とは逆方向に回転し、リンク部材８６が図５において解除方向（図中右方）と逆方向（図中左方）に移動する。この移動により、長穴８９に緩嵌されたピン８５が同方向に押されるので、回動軸７８が反時計回方向、すなわちカムフォロアアーム８１がコロ８０をカム部材７５の外周面７５ａへと近接させる方向に変位する。このため、アーム部材７３Ａ、７３Ｂが引っ張りコイルバネ７４Ａ、７４Ｂの付勢力と相まって図中反時計回り方向に回動し、従動ローラ１２Ｂが駆動ローラ１２Ａと接触状態とされる。
【００４６】
孔版印刷装置の使用形態によっては、不使用期間も想定できる。このような場合に、従動ローラ１２Ｂを駆動ローラ１２Ａに当接させた状態のままとすると、引っ張りコイルバネ７４Ａ、７４Ｂの付勢力によってローラ変形が懸念される。
【００４７】
このような場合には、オペレータが解除スイッチキー６１を操作すると、解除指令信号が発せられる。制御手段５０にこの信号が入力されると、解除モータ８７が駆動され、図５に示すようにリンク部材８６が解除方向（図中右方）に移動する。この移動により、長穴８９に緩嵌されたピン８５が同方向に引かれるので、回動軸７８がカム部材７５の位置に関係なく。時計回方向、すなわちカムフォロアアーム８１がコロ８０をカム部材７５の外周面７５ａから離間させる方向に変位する。このため、アーム部材７３Ａ、７３Ｂが引っ張りコイルバネ７４Ａ、７４Ｂの付勢にして図中時計回り方向に回動し、従動ローラ１２Ｂが離間状態に保持される。このようにオペレータが任意に解除スイッチキー６１を操作しても、カム部材７５の位置や状態に関係なく従動ローラ１２Ｂと駆動ローラ１２Ａとの圧接状態を直ちに解除することができるので、圧接状態のレジストローラ対１２によって用紙２が用紙搬送方向Ｘに送られることがなく、用紙ジャムの状態悪化がなくなり、用紙２のジャム解除動作を容易に行える。
【００４８】
図７は、移動手段７２の駆動源として電磁ソレノイド９７を用いた形態を示す。駆動源を代えた以外は図２に示す構成と同一構成である。電磁ソレノイド９７は、作動状態となるとその可動片９７ａを引き込むプルタイプのもので、可動片９７ａがリンク部材８６の他端８６ｂにピン結合されている。リンク部材８６を用いることなく、可動片９７ａを直接ピン８５と結合しても良いが、この場合には図３に示す長穴８９を可動片９７ａに形成すればよい。
【００４９】
図８は、電磁ソレノイド９７を接続する制御手段５０Ａを示す。基本的な構成と機能は制御手段５０と同様である。制御手段５０と異なる点は、ジャム検知センサ２７からジャム検知情報が入力された時と、解除スイッチキー６１から解除指令信号が入力された時に、電磁ソレノイド９７を作動するとともに、復帰スイッチキー６２から復帰指令信号が入力されると、電磁ソレノイド９７の作動を停止する点にある。
【００５０】
このような制御手段５０Ａを用いると、ジャム検知センサ２７からジャム検知信号が出力されると、電磁ソレノイド９７を作動すると共に、これ以外の装置の動作を停止する。電磁ソレノイド９７が作動すると、図７に示すようにリンク部材８６が解除方向（図中右方）に移動し、長穴８９に緩嵌されたピン８５が同方向に引かれる。このため、回動軸７８がカム部材７５の位置に関係なく。時計回方向、すなわちカムフォロアアーム８１がコロ８０をカム部材７５の外周面７５ａから離間させる方向に変位する。このため、アーム部材７３Ａ、７３Ｂが引っ張りコイルバネ７４Ａ、７４Ｂの付勢にして図中時計回り方向に回動し、従動ローラ１２Ｂが離間状態に保持される。
【００５１】
このように、ジャム発生が検知されると、直ちに装置は停止し、電磁ソレノイド９７の作動によりアーム部材７３Ａ、７３Ｂとカムフォロアアーム８１とが離間方向に移動するので、カム部材７５の位置や状態に関係なく従動ローラ１２Ｂと駆動ローラ１２Ａとの圧接状態を直ちに解除することができる。よって、圧接状態のレジストローラ対１２によって用紙２が用紙搬送方向Ｘに送られることがなく、用紙ジャムの状態悪化がなくなり、用紙２のジャム解除動作を容易に行える。
【００５２】
従動ローラ１２Ｂを駆動ローラ１２Ａとの当接位置へ戻す場合には、復帰スイッチキー６２を操作する。この操作が行われると、電磁ソレノイド９７がオフされる。このとき引っ張りコイルバネ７４Ａ、７４Ｂの付勢力と、アーム及びローラの自重がリンク部材８６に作用するので、図５において解除方向（図中右方）と逆方向（図中左方）に移動する。この移動により、長穴８９に緩嵌されたピン８５が同方向に押されるので、回動軸７８が反時計回方向、すなわちカムフォロアアーム８１がコロ８０をカム部材７５の外周面７５ａへと近接させる方向に変位する。このため、アーム部材７３Ａ、７３Ｂが引っ張りコイルバネ７４Ａ、７４Ｂの付勢力と相まって図中反時計回り方向に回動し、従動ローラ１２Ｂが駆動ローラ１２Ａと接触状態とされる。また、任意に従動ローラ１２Ｂを駆動ローラ１２Ａから離間状態に保持するのであれば、上述したように、オペレータが解除スイッチキー６１を操作すればよい。
【００５３】
上記形態において、解除装置７０は、搬送部材の一例であるレジストローラ対１２に適用したが、適用される搬送部材としてはレジストローラ対１２に限定されるものではなく、用紙２を挟持して搬送する搬送部材全般に適用可能である。また、搬送部材としてはローラ対に限定されるものではなく、例えば駆動側がベルト部材で従動側がベルト部材に接触、好ましくは圧接するローラ部材の組み合わせ、あるいは駆動側及び従動側が互いに当接または圧接するベルト部材に適用しても良い。解除部材７０を適用する搬送部材の形態としては、互いに対向する搬送部材の双方が駆動されないものや、双方が駆動される場合にも適用することができる。
【００５４】
上記形態において、解除装置７０を適用した搬送部材を備えた画像形成装置として、印刷装置の一形態である孔版印刷装置を例示したが、適用する印刷装置としては孔版印刷装置に限定されるものではない。また、解除装置７０を適用する画像形成装置としては印刷装置に限るものではなく、トナー画像が担持される像担持体としてのドラム状またはベルト状の感光体と、この感光体上に形成されたトナー像を用紙に転写するローラまたはベルト状の転写部材とで画像転写部が構成される周知の電子写真方式の画像形成装置に配置されるレジレスローラ対や他の搬送部材に適用しても、本形態と同等な効果を得ることができる。
【図面の簡単な説明】
【００５５】
【図１】本発明の一実施形態である画像形成装置の概略正面図である。
【図２】解除装置の概略構成を示す平面視図である。
【図３】解除装置の構成を示す拡大断面図である。
【図４】解除装置による搬送部材の解除動作を示す拡大断面図である。
【図５】移動手段による搬送部材の解除動作を示す拡大断面図である。
【図６】制御手段とそれにつながる構成要素の接続関係を示すブロック図である。
【図７】図３に示す解除手段と移動手段が異なる解除装置の概略構成を示す平面視図である。
【図８】制御手段の別な構成とそれにつながる構成要素の接続関係を示すブロック図である。
【符号の説明】
【００５６】
２    用紙
４    画像転写部
１２    一対の搬送部材
１２Ｂ    一方の搬送部材
１２Ａ    他方の搬送部材
１９    版
２０    印刷ドラム
２０ａ    印刷ドラムの外周面
２２    印圧部材
５０    制御手段
７０    搬送部材解除装置
７１    接離手段
７２    移動手段
７３Ａ、７３Ｂ    揺動部材
７４Ａ、７４Ｂ    移動習性を与える手段
７５    カム部材
８６  リンク部材
８６ａ  リンク部材の一端
８６ｂ  リンク部材の他端
８７    駆動源
６１    解除指令手段
６２    復帰指令手段
９７    電磁ソレノイド
【図１】
2006124097.tif 000003
【図２】
2006124097.tif 000004
【図３】
2006124097.tif 000005
【図４】
2006124097.tif 000006
【図５】
2006124097.tif 000007
【図６】
2006124097.tif 000008
【図７】
2006124097.tif 000009
【図８】
2006124097.tif 000010